【手続補正書】
【提出日】平成19年5月15日(2007.5.15)
【手続補正１】
【補正対象書類名】明細書
【補正対象項目名】全文
【補正方法】変更
【補正の内容】
【書類名】      明細書
【発明の名称】
分解水処理槽を持ったディスポーザー付き有機廃棄物分解消滅装置、及びこの有機廃棄物分解消滅装置に使用する分解処理剤と分解媒体材
【特許請求の範囲】
【請求項１】
調理台（１）の調理屑専用シンク（２）下に設置、或は単独に設置され、ディスポーザー給水栓（４）及びディスポーザー給水管（５）の給水基栓にはディスポーザー給水量制御弁（７）が設置され、ディスポーザー給水量制御弁（７）の後にディスポーザー給水電磁開閉弁（６）が設置された一定水量が注水されるディスポーザー（３）と、
前記ディスポーザー（３）から処理機本体（９）の処理槽（１０）内に破砕水と破砕物が同時に導入されたＵ字型管が付いた破砕物移送管（８）と、
前記処理槽（１０）の左右の槽には、異物濾過材付きシールハウジング（１２）付きベアリング（１３）が装着され、傾斜爪付き攪拌翼（１４）が一定間隔で装着された攪拌軸（１５）と、
前記処理槽（１０）の底部に装着され、ディスポーザー破砕水と分解水を処理槽外に排出する固着設置の、又は、交換可能な濾過材が付いた網付き排水口（１６）と、
前記処理槽（１０）の下部には分解水処理槽（１７）が装着され、処理槽（１０）の上部には処理槽（１０）内の真空状態回避の為に装着された空気抜き（１８）と、
前記分解水処理槽（１７）の排水側に装着され、Ｕ字型管がついた分解水処理槽排水管（１９）と、
前記ディスポーザー給水量制御弁（７）の後から分岐された分解水処理槽給水管（２２）に装着された分解水処理槽給水電磁開閉弁（２０）と、
前記分解水処理槽排水管（１９）は調理台排水管（２３）に接続され、処理槽（１０）の左右の壁を貫通して装着された攪拌軸（１５）を有する傾斜爪付きの攪拌翼（１４）と、
処理機本体（９）の一角には脱着可能に装着され、分解処理剤添加管（２７）を有する分解処理剤（２８）が装填された分解処理剤容器（２９）と、
前記分解処理剤（２８）が処理槽（１０）内にプッシュ添加が可能な様に、分解処理剤添加管（２７）はその先端が処理槽壁を貫通して接続された電磁ソレノイド（３０）と、
前記処理槽（１０）に設置され、２極間抵抗値変化の感知による湿度を計る処理槽内湿度感知機（３１）と温度制御機付き槽加温装置（３２）と、
前記処理槽（１０）に装填され、排水効果を高める分解媒体材（１１）と、
前記ディスポーザー（３）の稼働と連動して稼働する攪拌駆動機（２５）による傾斜爪付き攪拌翼（１４）が付いた攪拌軸（１５）の回転を制御する電気制御盤と、
により構成されたことを特徴とする分解水処理槽（１７）を持ったディスポーザー（３）付き有機廃棄物分解消滅装置。
【請求項２】
前記ディスポーザー（３）の本体に、分解処理剤（２８）が装填された分解処理剤容器（２９）が脱着可能状態で装着され、ディスポーザー（３）の稼働に連動して分解処理剤（２８）が一定量のみ処理槽（１０）内に注入されるようにしたことを特徴とする請求項１に記載の分解水処理槽（１７）を持ったディスポーザー（３）付き有機廃棄物分解消滅装置。
【請求項３】
前記ディスポーザー（３）に、分解処理剤（２８）が装填された分解処理剤容器（２９）が脱着可能状態で装着され、ディスポーザー（３）の稼働に連動して、又以後一定時間毎に分解処理剤（２８）が一定量のみ処理槽（１０）と分解水処理槽（１７）内に電気制御盤の制御によって注入されることを特徴とする請求項１に記載の分解水処理槽（１７）を持ったディスポーザー（３）付き有機廃棄物分解消滅装置。
【請求項４】
給水が一定給水圧力調整済の場合の前記ディスポーザー給水管（５）には、前記ディスポーザー（３）の稼働と連動して開閉するディスポーザー給水電磁開閉弁（６）のみが装着されたことを特徴とする請求項１に記載の分解水処理槽（１７）を持ったディスポーザー（３）付き有機廃棄物分解消滅装置。
【請求項５】
前記処理槽（１０）の駆動側の壁に異物濾過材付きのシールハウジング（１２）とベアリング（１３）が装着され、前記処理槽（１０）の非駆動側の壁は攪拌軸（１５）が貫通する事なく、処理槽（１０）内の壁内側に耐食性のベアリング（１３）がつけられて攪拌軸（１５）が装着されたことを特徴とする請求項１、２、３記載の分解水処理槽（１７）を持ったディスポーザー（３）付き有機廃棄物分解消滅装置。
【請求項６】
前記網付き排水口（１６）が、パンチングメタル網、又はワイヤー網とすることを特徴とする請求項１に記載の分解水処理槽（１７）を持ったディスポーザー（３）付き有機廃棄物分解消滅装置。
【請求項７】
前記分解水処理槽（１７）が、処理槽（１０）外部で別置きとすることを特徴とする請求項１、３に記載の、分解水処理槽（１７）を持ったディスポーザー（３）付き有機廃棄物分解消滅装置。
【請求項８】
前記分解水処理槽（１７）が、槽下部外部に接触して装着され、処理槽（１０）と一体型としたことを特徴とする請求項１、３記載の分解水処理槽（１７）を持ったディスポーザー（３）付き有機廃棄物分解消滅装置。
【請求項９】
一定給水圧力調整済の前記分解水処理槽給水管（２２）には、ディスポーザー稼働と連動して開閉する分解水処理槽給水電磁開閉弁（２０）のみが装着されたことを特徴とする請求項１に記載の分解水処理槽（１７）を持ったディスポーザー（３）付き有機廃棄物分解消滅装置。
【請求項１０】
前記分解水処理槽（１７）の内部に、有機物微細粒子（３３）流出防止の為、仕切り板（３４）が装着されたことを特徴とする請求項１、２、３記載の、分解水処理槽（１７）を持ったディスポーザー（３）付き有機廃棄物分解消滅装置。
【請求項１１】
前記分解水処理槽（１７）の内部に、有機物微細粒子（３３）流出防止の為に、仕切り板（３４）が装着され、同時に分解水処理槽（１７）内設置の微細粒子戻しポンプ（３５）によって、微細粒子戻し管（３６）を経由して一定時間毎に処理槽（１０）に有機物微細粒子（３３）を移送することを特徴とする請求項１、２、３記載の、分解水処理槽（１７）を持ったディスポーザー（３）付き有機廃棄物分解消滅装置。
【請求項１２】
前記空気抜き（１８）に、臭気漏洩防止と、万一の処理槽内満水時の漏水防止の為に、逆支弁（３７）が付いたことを特徴とする請求項１に記載の分解水処理槽（１７）を持ったディスポーザー（３）付き有機廃棄物分解消滅装置。
【請求項１３】
前記電磁ソレノイド（３０）に替わって、分解処理剤移送ポンプ（３８）がついた分解処理剤容器（２８）で、ディスポーザー（３）の稼働と連動して、電気印加による分解処理剤移送ポンプ（３８）の稼働によって分解処理剤添加管（２７）を経由して分解処理剤（２８）を処理槽（１０）内に移送添加するもので、液体の場合は液体ポンプを、粉体の場合は、縦形、又は横形の螺旋翼を持った移送ポンプとしたことを特徴とする請求項１に記載の分解水処理槽（１７）を持ったディスポーザー（３）付き有機廃棄物分解消滅装置。
【請求項１４】
前記電磁ソレノイド（３０）に替わって、分解処理剤移送ポンプ（３８）が別置き設置で、分解処理剤容器（２９）にポンプ吸引管（３９）が挿入され、ディスポーザー（３）の稼働と連動して電気印加稼働によって分解処理剤添加管（２７）を経由して分解処理剤（２８）を処理槽（１０）に移送添加するもので、液体の場合は液体ポンプを、粉体の場合は、縦形、又は横形の螺旋翼を持った移送ポンプとしたことを特徴とする請求項１に記載の分解水処理槽（１７）を持ったディスポーザー（３）付き有機廃棄物分解消滅装置。
【請求項１５】
前記調理屑専用シンク（２）に替わって、常用の多用途シンク（４２）にディスポーザー（３）を設置し、ディスポーザー（３）から処理槽（１０）に結属された破砕物移送管（８）の途中に、シンク排水切り換え弁（４１）を設置して、常用の多用途シンク（４０）の、食器或は野菜、魚介類等の洗浄雑用水は直接に調理台排水管（２３）に排水し、調理屑等の有機廃棄物処理時点ではシンク排水切り換え弁（４１）の切り換えによって、ディスポーザー（３）で破砕された有機廃棄物は破砕物移送管（８）を経由して処理槽（１０）に導入されることを特徴とする請求項１記載の分解水処理槽（１７）を持ったディスポーザー（３）付き有機廃棄物分解消滅装置。
【請求項１６】
前記ディスポーザー（３）設置が複数で夫々の設置場所が離れている場合、或は前記ディスポーザー（３）が調理屑専用シンク（２）又は多用途シンク（４０）に設置せずにディスポーザーが単独に複数設置の場合、又は破砕された有機廃棄物を一定時間毎に処理機本体（９）の処理槽（１０）内に移送投入を必要とする場合、又単体或は複数のディスポーザー（３）と処理槽（１０）が遠隔分離されている場合には、ディスポーザー（３）と処理槽（１０）との間に破砕有機物貯留槽（４２）を設け、破砕有機物移送ポンプ（４３）の稼働によって破砕有機物移送ポンプ（４３）からの破砕物移送管（８）を経由して処理槽（１０）内に一定時間毎に移送投入することを特徴とする請求項１，２，３に記載の分解水処理槽（１７）を持ったディスポーザー（３）付き有機廃棄物分解消滅装置。
【請求項１７】
前記分解処理剤（２８）が液体の酵素で、その分解処理目的によって、セルローズ分解酵素群、澱粉分解酵素群、蛋白質分解酵素群、油脂分解酵素群から満遍なく配合する総合的配合の請求項１に記載された有機廃棄物分解消滅装置に使用する分解処理剤（２８）。
【請求項１８】
前記分解処理剤（２８）が液体の酵素で、その分解処理目的によって、セルローズ分解酵素群、澱粉分解酵素群、蛋白質分解酵素群、油脂分解酵素群の酵素群から少なくとも１つを部分配合する請求項１に記載された有機廃棄物分解消滅装置に使用する分解処理剤（２８）。
【請求項１９】
前記分解処理剤（２８）が液体の酵素で、その分解処理目的によって、セルローズ分解酵素群、澱粉分解酵素群、蛋白質分解酵素群、油脂分解酵素群の酵素群から１つを配合する請求項１に記載された有機廃棄物分解消滅装置に使用する分解処理剤（２８）。
【請求項２０】
前記分解処理剤（２８）が粉末形状、顆粒形状、固形形状等の酵素で、その分解処理目的によって、セルローズ分解酵素群、澱粉分解酵素群、蛋白質分解酵素群、油脂分解酵素群から満遍なく配合する総合配合とする請求項１に記載された有機廃棄物分解消滅装置に使用する分解処理剤（２８）。
【請求項２１】
前記分解処理剤（２８）が粉末形状、顆粒形状、固形形状等の酵素で、その分解処理目的によって、セルローズ分解酵素群、澱粉分解酵素群、蛋白質分解酵素群、油脂分解酵素群の酵素群から少なくとも１つを部分的配合とする請求項１に記載された有機廃棄物分解消滅装置に使用する分解処理剤（２８）。
【請求項２２】
前記分解処理剤（２８）が粉末形状、顆粒形状、固形形状等の酵素で、その分解処理目的によって、セルローズ分解酵素群、澱粉分解酵素群、蛋白質分解酵素群、油脂分解酵素群の酵素群から１つを配合する請求項１に記載された有機廃棄物分解消滅装置に使用する分解処理剤（２８）。
【請求項２３】
前記分解処理剤（２８）が液体の好気性微生物により有機物の発酵分解をさせる請求項１に記載された有機廃棄物分解消滅装置に使用する分解処理剤（２８）。
【請求項２４】
前記分解処理剤（２８）が液体の嫌気性微生物により有機物の発酵分解をさせる請求項１に記載された有機廃棄物分解消滅装置に使用する分解処理剤（２８）。
【請求項２５】
前記分解処理剤（２８）が液体の光合成微生物により有機物の発酵分解をさせる請求項１に記載された有機廃棄物分解消滅装置に使用する分解処理剤（２８）。
【請求項２６】
前記分解処理剤（２８）が液体の好気性微生物と、光合成微生物の混合により有機物の発酵分解をさせる請求項１に記載された有機廃棄物分解消滅装置に使用する分解処理剤（２８）。
【請求項２７】
前記分解処理剤（２８）が液体の嫌気性微生物と、光合成微生物の混合により有機物の発酵分解をさせる請求項１に記載された有機廃棄物分解消滅装置に使用する分解処理剤（２８）。
【請求項２８】
前記分解処理剤（２８）が粉末の好気性微生物により有機物の発酵分解をさせる請求項１に記載された有機廃棄物分解消滅装置に使用する分解処理剤（２８）。
【請求項２９】
前記分解処理剤（２８）が粉末の嫌気性微生物により有機物の発酵分解をさせる請求項１に記載された有機廃棄物分解消滅装置に使用する分解処理剤（２８）。
【請求項３０】
前記分解処理剤（２８）が粉末の光合成微生物により有機物の発酵分解をさせる請求項１に記載された有機廃棄物分解消滅装置に使用する分解処理剤（２８）。
【請求項３１】
前記分解処理剤（２８）が粉末の好気性微生物と、光合成微生物の混合により有機物の発酵分解をさせる請求項１に記載された有機廃棄物分解消滅装置に使用する分解処理剤（２８）。
【請求項３２】
前記分解処理剤（２８）が粉末の嫌気性微生物と、光合成微生物の混合により有機物の発酵分解をさせる請求項１に記載された有機廃棄物分解消滅装置に使用する分解処理剤（２８）。
【請求項３３】
前記分解媒体剤（１１）がペレット状の樹脂製であることを特徴とする請求項１に記載された有機廃棄物分解消滅装置に使用する分解媒体材（１１）。
【請求項３４】
前記分解媒体剤（１１）が多孔性ペレット状の樹脂製であることを特徴とする請求項１に記載された有機廃棄物分解消滅装置に使用する分解媒体材（１１）。
【請求項３５】
前記分解媒体剤（１１）が中空ペレット状の樹脂製であることを特徴とする請求項１に記載された有機廃棄物分解消滅装置に使用する分解媒体材（１１）。
【請求項３６】
前記分解媒体剤（１１）が中空多孔性ペレット状の樹脂製であることを特徴とする請求項１に記載された有機廃棄物分解消滅装置に使用する分解媒体材（１１）。
【請求項３７】
前記分解媒体剤（１１）が球状の樹脂製であることを特徴とする請求項１に記載された有機廃棄物分解消滅装置に使用する分解媒体材（１１）。
【請求項３８】
前記分解媒体剤（１１）が多孔性球状の樹脂製であることを特徴とする請求項１に記載された有機廃棄物分解消滅装置に使用する分解媒体材（１１）。
【請求項３９】
前記分解媒体剤（１１）が円筒状の樹脂製であることを特徴とする請求項１に記載された有機廃棄物分解消滅装置に使用する分解媒体材（１１）。
【請求項４０】
前記分解媒体剤（１１）が多孔性の円筒状の樹脂製であることを特徴とする請求項１に記載された有機廃棄物分解消滅装置に使用する分解媒体材（１１）。
【請求項４１】
前記分解媒体剤（１１）が中空の円筒状の樹脂製であることを特徴とする請求項１に記載された有機廃棄物分解消滅装置に使用する分解媒体材（１１）。
【請求項４２】
前記分解媒体剤（１１）が多孔性の中空の円筒状樹脂製であることを特徴とする請求項１に記載された有機廃棄物分解消滅装置に使用する分解媒体材（１１）。
【請求項４３】
前記分解媒体剤（１１）が多角形状の樹脂製であることを特徴とする請求項１に記載された有機廃棄物分解消滅装置に使用する分解媒体材（１１）。
【請求項４４】
前記分解媒体剤（１１）が多孔性の多角形状の樹脂製であることを特徴とする請求項１に記載された有機廃棄物分解消滅装置に使用する分解媒体材（１１）。
【請求項４５】
前記分解媒体剤（１１）が多角形状の中空の樹脂製であることを特徴とする請求項１に記載された有機廃棄物分解消滅装置に使用する分解媒体材（１１）。
【請求項４６】
前記分解媒体剤（１１）が多孔性の中空多角形状の樹脂製であることを特徴とする請求項１に記載された有機廃棄物分解消滅装置に使用する分解媒体材（１１）。
【請求項４７】
前記分解媒体剤（１１）が破砕塊状の樹脂製であることを特徴とする請求項１に記載された有機廃棄物分解消滅装置に使用する分解媒体材（１１）。
【請求項４８】
前記分解媒体剤（１１）が多孔性の破砕塊状状の樹脂製であることを特徴とする請求項１に記載された有機廃棄物分解消滅装置に使用する分解媒体材（１１）。
【請求項４９】
前記分解媒体剤（１１）がペレット状の樹木製であることを特徴とする請求項１に記載された有機廃棄物分解消滅装置に使用する分解媒体材（１１）。
【請求項５０】
前記分解媒体剤（１１）が中空ペレット状の樹木製であることを特徴とする請求項１に記載された有機廃棄物分解消滅装置に使用する分解媒体材（１１）。
【請求項５１】
前記分解媒体剤（１１）が球状の樹木製であることを特徴とする請求項１に記載された有機廃棄物分解消滅装置に使用する分解媒体材（１１）。
【請求項５２】
前記分解媒体剤（１１）が円筒状の樹木製であることを特徴とする請求項１に記載された有機廃棄物分解消滅装置に使用する分解媒体材（１１）。
【請求項５３】
前記分解媒体剤（１１）が中空円筒状の樹木製であることを特徴とする請求項１に記載された有機廃棄物分解消滅装置に使用する分解媒体材（１１）。
【請求項５４】
前記分解媒体剤（１１）が多角形状の樹木製であることを特徴とする請求項１に記載された有機廃棄物分解消滅装置に使用する分解媒体材（１１）。
【請求項５５】
前記分解媒体剤（１１）が多角形状の中空樹樹木であることを特徴とする請求項１に記載された有機廃棄物分解消滅装置に使用する分解媒体材（１１）。
【請求項５６】
前記分解媒体剤（１１）が破砕塊状の樹木であることを特徴とする請求項１に記載された有機廃棄物分解消滅装置に使用する分解媒体材（１１）。
【請求項５７】
前記分解媒体剤（１１）が鱗片状の樹木片であることを特徴とする請求項１に記載された有機廃棄物分解消滅装置に使用する分解媒体材（１１）。
【請求項５８】
前記分解媒体剤（１１）が粗挽きの樹木粉であることを特徴とする請求項１に記載された有機廃棄物分解消滅装置に使用する分解媒体材（１１）。
【請求項５９】
前記分解媒体剤（１１）が原形の植物種子であることを特徴とする請求項１に記載された有機廃棄物分解消滅装置に使用する分解媒体材（１１）。
【請求項６０】
前記分解媒体剤（１１）が植物種子殻であることを特徴とする請求項１に記載された有機廃棄物分解消滅装置に使用する分解媒体材（１１）。
【請求項６１】
前記分解媒体剤（１１）が破砕された植物種子殻であることを特徴とする請求項１に記載された有機廃棄物分解消滅装置に使用する分解媒体材（１１）。
【請求項６２】
前記分解媒体剤（１１）がゼオライトを基材としたことを特徴とする請求項１に記載された有機廃棄物分解消滅装置に使用する分解媒体材（１１）。
【請求項６３】
前記分解媒体剤（１１）がゼオライトを基材とし、この基材を高温焼成したものであることを特徴とする請求項１に記載された有機廃棄物分解消滅装置に使用する分解媒体材（１１）。
【請求項６４】
前記分解媒体剤（１１）がゼオライトを基材とし、この基材にカーボンを蒸着したものであることを特徴とする請求項１に記載された有機廃棄物分解消滅装置に使用する分解媒体材（１１）。
【請求項６５】
前記分解媒体剤（１１）がゼオライトを基材とし、この基材を高温焼成してカーボンを蒸着したものであることを特徴とする請求項１に記載された有機廃棄物分解消滅装置に使用する分解媒体材（１１）。
【請求項６６】
前記分解媒体剤（１１）がカオリンを基材としたことを特徴とする請求項１に記載された有機廃棄物分解消滅装置に使用する分解媒体材（１１）。
【請求項６７】
前記分解媒体剤（１１）がシリカゲルを基材としたことを特徴とする請求項１に記載された有機廃棄物分解消滅装置に使用する分解媒体材（１１）。
【請求項６８】
前記分解媒体剤（１１）が石灰石を基材としたことを特徴とする請求項１に記載された有機廃棄物分解消滅装置に使用する分解媒体材（１１）。
【請求項６９】
前記分解媒体剤（１１）が原形貝殻又は破砕貝殻を基材としたことを特徴とする請求項１に記載された有機廃棄物分解消滅装置に使用する分解媒体材（１１）。
【請求項７０】
前記分解媒体剤（１１）が活性炭素基材、及び使用済みの活性炭素素材を基材としたことを特徴とする請求項１に記載された有機廃棄物分解消滅装置に使用する分解媒体材（１１）。
【発明の詳細な説明】
【０００１】
【発明の属する技術分野】
本発明は、地球環境保全の目的で、家庭用から業務用、船舶用、等のあらゆる分野で、可能な限り省エネルギーをモットーに、自然の法則に基づいてバイオテクノロジーによって、食生活から発生する生ごみを、屋内キッチンで分解消滅させるものである。
【０００２】
【従来の技術】
諸外国、特に米国では、生ごみは調理の一貫としてキッチン・シンクでディスポザーによって加水破砕され、そのまま公共下水道に排出されているが、わが国では、生ごみをディスポーザーで破砕してそのまま排出することは、公共下水処理施設の能力の限界を越える為に、条令的に禁止する自治体が多い。
【０００３】
従来、我が国のディスポーザー経由の生ごみ処理機は、破砕した生ごみをピッチの異なる螺旋翼等でシンク下で搾り、脱水した物を廃棄処分にするものがある。
【０００４】
又、ディスポーザー経由の生ごみを破砕水と共に、移送管で合併処理槽的地下浄化槽に導入され、水中分解特有の時間を掛けて処理されて、分解不能残渣は貯留槽から定期的に撤去処分され、その排水水質は一定化しないものである。
【０００５】
同時に、ディスポーザー経由の生ごみの移送管では、経年による管内に破砕油脂汚物等が蓄積付着して移送管内径縮小し、一戸建て住宅、集合住宅を問わず、風呂排水等の急激な大量排水がなされた場合に、マンホール等からのオーバーフロー、或は排水の逆流的事故が発生している。
【０００６】
又、ディスポーザーを経由しない生ごみ等原形有機廃棄物を、水分調整剤的な樹木粉、籾殻等が装填された処理機に投入発酵させる処理方式は、数限りなく存在するが、その何れも分解度、臭気、害虫発生度、雑菌繁殖度で、人間社会の生活環境には適合しない物ばかりである。
【０００７】
原形投入の生ごみ等有機廃棄物の発酵処理法は分解度が悪い為に、その残渣を有機肥料と称しているが、塩分濃度、未分解物質により肥料に適合しないものであり、近年やっと公的機関によって、再度数か月以上の２次発酵の必要性が公示されてきた。
【０００８】
【発明が解決しようとする課題】
近年、我が国のディスポーザー経由の有機廃棄物処理施設の全ては地中埋設の合併処理槽的浄化槽に導入する方式であるが、ディスポーザーから合併処理槽的浄化槽迄の移送管は、移送管内の汚物蓄積付着の為に数年経過毎に移送管内清掃の経費と共に、その期間を出来るだけ長くする為と、移送管内での破砕有機廃棄物の沈殿滞留を避ける目的で、ディスポーザーに大量の清水を使用しているが、それでも、食品油脂付着によって移送管内部に汚物付着蓄積が生じて移送管内径狭窄状態による問題点をはらんでいる。
【０００９】
又、乾燥処理方式は水分発散時の臭気や乾燥物の毎回排出の手間を要し、発酵処理方式は、全てが使用に際して熟練的な知識を要し、取り扱い説明書通りに使用しても臭気を発散し、それが複合臭気である為に消臭不能に近く、気安めな消臭装置を設置して販売し、処理生ごみ種類も制限があり、研究室のデーターを販売説明に使用して、ユーザーの使用状態での機能性と全く異なり、生ごみ処理装置のイメージダウンと、クレイムを受けているのが現状である。
【００１０】
家庭を含めた全ての産業分野では、食生活が伴うかぎり残飯、調理屑、多少の調理物油脂の発生は避けられず、人間生活社会にマッチした生ごみ処理装置の開発が望まれていた。
【００１１】
【課題を解決する手段】
より簡単に、より使いやすく、無臭で半永久的に分解媒体材の交換を要せず、メンテナンスの必要が無い生ごみ処理機として、次の通り構成した。
【００１２】
発生現場である調理台のシンクにディスポーザーを装着し、主婦の家事労働範囲を、又調理業務従事者の労働範囲を極限迄縮小し、生ごみ等の有機廃棄物発生場所である調理現場から調理屑を持ち運ばなくても良い様に配慮した。
【００１３】
業務用産業廃棄物の様な調理屑以外の有機廃棄物処理の場合は、有機廃棄物発生場所にディスポーザーを設置して、それに投入する事も可能とした。
【００１４】
その為、ディスポーザーで加水破砕された生ごみ等の有機廃棄物は、分解媒体材が装填されている有機廃棄物の処理機本体の処理槽にそのまま流動導入され、破砕された生ごみ等の有機廃棄物は、処理槽内の分解媒体材で濾過され、同時に処理槽内に添加される分解処理剤によって分解消滅され、分解処理剤が混入した破砕水のみが処理槽下部の網付き排水口から、分解水処理槽を経由して調理台排水管に放出されて下水道に導かれ、処理槽からの排水は排水経路の付着物洗浄効果をもって浄化槽、或は公共下水に排水され、破砕生ごみは一粒も排出するのでなく処理槽内で分解消滅、公共下水処理場の負担を解消した。
【００１５】
【発明の実施の形態】
一般的な調理屑及び残飯の中には、鶏の足骨、牛豚の骨もあり、無機系生ごみも処理できなければ生ごみ処理機とは言えない。従って、ディスポーザーは、これらも瞬間的に２〜３ｍｍの大きさに破砕し、処理槽内に破砕物移送管によって投入処理される。
【００１６】
破砕された生ごみ等に有機廃棄物は表面積が多大となり分解処理が容易で、分解媒体材と、各種酵素類、或は有機分解微生物群によって処理槽内で分解を始め、攪拌翼による攪拌と、ヒーターによる分解適温保持、好機性有機分解微生物の使用の場合は、空気供給管による酸素の供給で、殆どの生ごみは短時間で分解消滅される。
【００１７】
生ごみは処理槽内で分解され、微量ながら炭酸ガスと水になる為に、キッチン流し台下という設置場所の観点から、処理槽内空気の排気は、調理台排水管のＵ字型管内部を処理槽排気管が貫通通過する形で挿入され、仮に腐敗臭気が発生する恐れのある生ごみを投入しても、調理台排水管のＵ字型排水管内の残留水によって臭気逆流を防止し、排水管を利用して室外に排出される。
【００１８】
この形式は、特に鉄筋コンクリート集合住宅の様に、簡単に住居壁穴加工、ダクト設置等が困難な場合に有効であり、当然ながら一戸建住宅にも利用できる。
【００１９】
一戸建住宅の場合は、床下に貫通穴を設けて排気することが容易であり、又、調理台の裏壁を貫通して戸外に排気する事も一方法であり、集合住宅、一戸建住宅を問わず処理槽排気管に、排気送風ファンを結続して強制排気も考慮に入れた。
【００２０】
分解媒体材の役目は、生ごみの処理槽外への流出防止、及び分解処理と同時に、破砕された微小体積の生ごみのより細かくすりつぶして分解を容易にする表面積を増大させる役目も持ち、自然界の法則による分解原理をよりスムーズに助け、同時に攪拌翼の正転、逆転の攪拌によって処理槽下部の網付き排水口の目詰まりをも解消することとした。
【００２１】
従来の分解媒体材は経時変化によって初期に基本形状が崩壊して自然微生物着床度合いが低下し、攪拌トルクの増大、酸素欠乏、臭気発生等々の問題があったが、本分解媒体材によってその全てを解消した。
【００２２】
処理槽内のアンモニアは、アンモニア分解バイオを始め、分解媒体材の材質をゼオライト系にすることにより、ＰＨに関係なくイオン交換能力を利用して無臭化するものであり、食物含有の微量の重金属も分解除去が可能であった。
【００２３】
同時に、樹脂製、樹木片製、無機製、貝殻製、活性炭素製等の分解媒体材は、半永久的に使用が可能であり、廃棄物減少の観点からも非常に有益である。
【００２４】
家庭用、小規模業務用、船舶搭載用、ヨットを含む小型船舶用、車両用、航空機用等では、調理台のシンク下に、或は別置きで格納する方式、大型業務用ではディスポーザーから破砕有機物貯留槽に、これを破砕物移送ポンプで処理槽内に導入、別置きの分解水処理槽付きの有機廃棄物の大型処理までの実施を行ったが今後あらゆる分野の業界に適用されると推定する。
【００２５】
【実施例】
以下実施例を、請求項によって説明する。
調理台１の調理屑専用シンク２下に設置、或は単独に設置されたディスポーザー３にはディスポーザー給水栓４又はディスポーザー給水管５が設置され、ディスポーザー給水栓４及びディスポーザー給水管５の給水基栓にはディスポーザー給水量制御弁７が設置、ディスポーザー給水量制御弁７の後にディスポーザー給水電磁開閉弁６が設置されて、一定水量がディスポーザー３に注水される。
ディスポーザーからのＵ字型管が付いた破砕物移送管８は、処理機本体９の処理槽１０内に破砕水と破砕物が同時に導入される。
分解媒体剤１１が装填された処理槽１０の左右の槽には、異物濾過材付きシールハウジング１２付きベアリング１３が装着され、攪拌効率増大の為に傾斜爪付き攪拌翼１４が一定間隔で装着された攪拌軸１５が装着される。
処理槽１０の底部には、ディスポーザー破砕水と分解水を処理槽外に排出する固着設置の、又は交換可能な、金属製、樹脂製、布製等の濾過材が付いた網付き排水口１６が装着され、網付き排水口１６に接した処理槽１０下部には分解水処理槽１７が装着され、処理槽１０上部には、処理槽１０内の真空状態回避の為に空気抜き１８が装着される。
分解水処理槽１７の排水側には、Ｕ字型管がついた分解水処理槽排水管１９が装着、他方には、ディスポーザー給水量制御弁７の後から分岐された分解水処理槽給水管２２には分解水処理槽給水電磁開閉弁２０が装着されて一定水量が一定時間間隔毎に、分解水処理槽１７内に給水可能な状態で装着されるが、分解水処理槽給水管２２がディスポーザー給水量制御弁７の後から分岐でなく別途の単独給水基栓からの給水の場合は、或は分解水処理槽１７に然程給水の必要性が無い場合は、分解水処理槽給水量制御弁２１が分解水処理槽給水管２２に装着されて必要一定水量が一定時間間隔毎に、分解水処理槽１７内に給水されるように構成される。
分解水処理槽排水管１９は調理台排水管２３に結続される。
処理槽１０の左右の壁を貫通して装着された傾斜爪付きの攪拌翼１４装着の攪拌軸１５は、左右どちらか一端には攪拌軸付き歯車２４が固着され、攪拌駆動機２５には駆動機付き歯車２６とは、歯車同士の直接噛み合い連結、或はチェーン又はベルトによって回転可能な状態で連結される。
処理機本体９の一角には、分解処理剤添加管２７を有する分解処理剤２８が装填された分解処理剤容器２９が脱着可能状態で装着され、可動鉄芯を有する電磁ソレノイド３０稼働によって、分解処理剤２８が処理槽１０内にプッシュ添加が可能な様に、分解処理剤添加管２７はその先端が処理槽壁を貫通して結属される。
処理槽１０に設置された２極間抵抗値変化感知による処理槽内湿度感知機３１と共に温度制御機付き槽加温装置３２が装着される。傾斜爪付き攪拌翼１４がついた攪拌軸１５の稼働回転方向は、網付き排水口１６の目詰まり防止の為に正転と逆転を伴う一定間隔回転稼働と共に、一定粒度の排水効果の高い分解媒体材１１が装填される。
電気制御盤の機能は、ディスポーザー３の稼働と連動して稼働する攪拌駆動機２５による傾斜爪付き攪拌翼１４が付いた攪拌軸１５の回転稼働は、ディスポーザー停止後の秒数後に、正転数分、逆転数分の攪拌駆動をし、以後、傾斜爪付き攪拌翼１４が付いた攪拌軸１５は一定時間間隔毎に同様の稼働を繰り返し、処理槽内湿度感知機３１によって処理槽内が一定湿度以下の乾燥状態になった場合は、次のディスポーザー３稼働までは自動的に攪拌稼働を停止する。
又ディスポーザー３の稼働と連動してディスポーザー給水電磁開閉弁６が開放状態となり、ディスポーザー給水量制御弁７によって流量制御された一定水量がディスポーザー３に給水され、ディスポーザー３の稼働停止の数秒後にディスポーザー給水電磁開閉弁６は、自動的に閉鎖状態となって給水停止する。
同時にディスポーザー３の稼働と同時に連動して稼働する分解水処理槽給水電磁開閉弁２０は開放状態となり、流量調整された一定量が分解水処理槽１７に注水されるが、ディスポーザー稼働連動とは別に一定時分毎に、自動的に分解水処理槽電磁給水開閉弁２０の自動的開閉を行ない分解水処理槽１７に一定量の給水がされる様に構成される。
又処理機本体９の処理槽１０内が、処理槽内湿度感知機３１によって乾燥状態を感知した場合は、分解水処理槽１７への一定時間毎の給水は停止する事もある、分解水処理槽１７を持ったディスポーザー３付き有機廃棄物分解消滅装置である。
【００２６】
つまり、「請求項１」は調理台１の調理屑専用シンク２下に設置したディスポーザー３の投入口に給水しながら生ごみを投入するが、給水量は水量が少なければ破砕不能、又は破砕物移送管８内で破砕生ごみが流動性を失って詰まることとなるので、常時必要一定水量を供給する様に構成した。
【００２７】
その為、ディスポーザー給水カラン４、又はディスポーザー給水管５の給水基にはディスポーザー給水量制御弁７が設置されて必要給水量を供給可能状態にし、制御盤によって稼働するディスポーザー給水電磁開閉弁６装着され、ディスポーザー３の稼働時には一定水量が自動的に供給される。
【００２８】
調理屑等の有機廃棄物処理は、先ず処理機本体９の電気制御盤に電源コードによって電気を印加すれば、ディスポーザー３、処理機本体９等、駆動部には全て電気が印加され、予め電気制御盤にインプットされた稼働フローシートによって、全ての機器が稼働する。
【００２９】
ディスポーザー３の電気印加スイッチによってディスポーザー３が稼働し、ディスポーザーに給水と同時に調理屑等の有機廃棄物を投入すれば、給水破砕による流動性ある破砕された有機廃棄物は、破砕物移送管８を経由して、分解媒体材１１が装填された処理槽１０に流れ込み、ディスポーザー３の稼働中は処理槽１０の、傾斜爪付き攪拌翼１４が付いた攪拌軸１５は攪拌稼働せず停止し、ディスポーザー３の停止一定秒数後に、正転、逆転の攪拌行動を一定時間開始する。
【００３０】
これによって、調理屑等の破砕された有機廃棄物は処理槽１０内の分解媒体材１１の上部表面に蓄積され、破砕水のみが分解媒体材１１によって濾過落下し、網付き排水口１６を経由して分解水処理槽１７に導入される。
【００３１】
攪拌軸１５に装着された傾斜爪付き攪拌翼１４の傾斜爪は、処理槽１０内の攪拌効率向上の為の傾斜である。
【００３２】
左右の処理槽１０の壁を貫通して装着される傾斜爪付き攪拌翼１４が装着された攪拌軸１５を保持するベアリング１３には、処理槽１０内に種々の不純物が投入される状況を考慮し、処理槽１０内壁に、異物濾過材付きシールハウジング１２を併設し、処理槽１０内のディスポーザー３から導入される破砕水の漏洩を防止する。
【００３３】
ディスポーザー３から導入された処理槽１０内の破砕水が排水されるに必要な秒数経過後、傾斜爪付き攪拌翼１４が付いた攪拌軸１５は自動的に攪拌稼働するが、実施例では、正転３分、数秒後に逆転３分の攪拌稼働し、３０分経過後、又同様のインターバルで攪拌し、以後これを繰り返すが、電気制御盤設置のタイマーによって、正転時間、逆転時間、及び停止時間を、投入量、投入物質によって、分解促進と分解水の処理槽１０外への排出の為に時間変更する事もある。
【００３４】
生ごみ等の破砕有機廃棄物の処理槽１０外への流出を極力防止する為、ディスポーザー３の稼働時に、仮に傾斜爪付き攪拌翼１４が付いた攪拌軸１５が攪拌稼働中であっても、ディスポーザー３稼働と同時に攪拌停止し、ディスポーザー３の停止と後に、再度その時点から正転、逆転の攪拌稼働を開始し、以後一定時間毎にこれを繰り返す。
【００３５】
処理槽６内に残留した破砕有機物は、分解媒体材１１と攪拌混合され、同時に攪拌時に分解媒体材１１によってすりつぶされる効用もあり、破砕された有機廃棄物は、尚一層の表面面積の増大により、分解処理剤２８の処理槽１０内への添加と相まって急速に分解し、消滅する。
【００３６】
又、ディスポーザー３の破砕物移送管８はＵ字型を形成し、網付き排出口１６に接して装着されている分解水処理槽１７の分解水処理槽排水管１９はＵ字型としており、処理槽１０及び分解水処理槽１７内部臭気の逆流による発臭は全く無い。
【００３７】
処理槽８底部の網付き排水口１６は、種々形式があるが、交換可能な、金網製、パンチングメタル、樹脂製網、枠付き布製網、等々も実施したが機能性は充分である。
【００３８】
又、処理槽全体を、金網製、パンチングメタル、樹脂製網、枠付き布製網、等々も実施したが、排水効率が非常に良かった。
【００３９】
ディスポーザー３からの流入破砕水を速やかに排出させる為に、処理槽１０内の真空状態を避ける為、処理槽１０上部に空気抜き１８を設けた。
【００４０】
処理機本体９の処理槽１０に付属して分解水処理槽１７を設置し、処理槽１０底部の網付き排水口１６から浸潤排出される調理屑等の破砕された有機廃棄物の分解時に発生する分解水は、ディスポーザー３使用による破砕水の導入洗浄排出により、処理槽１０から分解水処理槽１７に導入され、処理槽１０内に添加された分解処理剤２８も同時に流入する事によって分解水処理槽１７内の分解水を含めた水は浄化され、同時に分解処理槽１７には、分解水処理槽電磁給水開閉弁２０が装着された分解水処理槽給水管２２によって必要に応じて清水の供給を行なうが、分解水処理槽給水管２２が単独の別途給水基からの給水の場合は、その水圧によっては水量が多過ぎる場合がある為に、分解水処理槽分解水処理槽給水管２２に、分解水処理槽電磁給水開閉弁２０と分解水量制御弁２１の両方が設置され、処理槽からの排水基準値内の清浄な排水を、分解水処理槽排水管１９で調理台排水管２３に、又下水管に、或は既設の浄化槽に排出される。
【００４１】
攪拌軸１５の一端に装着された攪拌軸付き歯車２４は、攪拌駆動機２５に装着された駆動機付き歯車２６とは、直接に噛み合方式と、チェーンによる連結、又はＶベルト、或はタイミングベルトによって、攪拌駆動機２５の稼働によって攪拌軸１５は減速回転するが、この他に単独設置の減速機を経由して、或は回転駆動軸持たない電動ラックピニオン、電動シリンダーによって攪拌軸１５と結合駆動し、又、攪拌駆動機２５と攪拌軸１５を各種カップリングと結合して駆動する方法も実施し、設置面積制限、部品削減によるメンテナンス減少にも役立つ。
【００４２】
処理機本体９の一角には、調理屑等の破砕された有機廃棄物の分解処理の為、分解処理剤２８が入った分解処理剤容器２９が設置され、稼働鉄芯を有する電磁稼働ソレノイド３０によって定期的に一定量が制御盤によって処理槽１０内に分解処理剤２８が添加されるが、分解処理剤容器２９はカセット方式で、分解処理剤２８が空になれば充填するか、又は新容器に交換する。
【００４３】
処理槽１０内の温度保持の為に温度制御機付き槽加温装置３２稼働によって加温維持するが、ディスポーザー３への給水が温水の場合は、温度制御機付き槽加温装置３２は稼働しない場合もある。
【００４４】
処理槽３内に設置した２極間の電気抵抗値変化感知による処理槽内湿度感知機３１によって処理槽内湿度を感知し、旅行等の当分不使用の処理機本体の場合は処理槽内が乾燥状態になる事から、分解媒体材１１や異物濾過材付きシールハウジング１２の保護、及びエネルギー浪費防止の為に、処理槽内湿度感知機３１によって乾燥状態が検知されると同時に、処理槽内の攪拌稼働停止と同時に加温装置稼働も停止され、事後にディスポーザー３の稼働給水時点で処理槽内湿度感知機３１によって再度、自動的に正常稼働行程に入る。
【００４５】
この処理槽３内の乾燥による攪拌軸１５稼働停止及び温度制御機付き槽加温装置３２停止の状態では、分解処理槽１７への一定量の定時的給水は、停止する場合と、継続する場合がある。
【００４６】
傾斜爪付き攪拌翼１４の先端の爪は、処理槽１０内に装填の分解媒体剤１１と破砕された有機廃棄物の混合攪拌と同時に、処理槽１０の下部の網付き排水口１６に近接して回転する事によって網付き排水口１６の目詰まりを防止し、傾斜爪付き攪拌翼１４の、正転、逆転の交互攪拌回転によって分解媒体剤１１と網付き排水口１６とが往復摩擦運動を生じ、又本実施例では３分正転、３分逆転後、３０分回転休止、以後この繰り返し稼働により目詰まりは完全に防止された。
【００４７】
電気制御盤の稼働機能は、処理機本体９に設置、或は制御盤箱として処理機本体から離別して設置され場合がある。
【００４８】
一端電気印加された電気制御盤機能は、調理屑等の有機廃棄物のディスポーザー３スイッチによる電気印加稼働に始まる。
【００４９】
電気印加されたディスポーザー）が稼働すると同時に、ディスポーザー給水は給水栓４又はディスポーザー給水管５は、ディスポーザー給水量制御弁７によって予め設定した給水量が、ディスポーザー給水電磁開閉弁６の弁開放により一定水量の給水が開始される。
【００５０】
ディスポーザー３に給水された後、ディスポーザー３内に調理屑等の有機廃棄物を投入するが、ディスポーザー３稼働と給水によって有機廃棄物は破砕され、水と共に流動性を持って破砕物移送管８を経由して、処理槽１０内に充填された分解媒体剤１１の表面に流入蓄積され、ディスポーザー３への供給破砕水のみが分解媒体剤１１によって濾過されて処理槽１０下部に沈下し、破砕水の沈下過程で、分解過程での分解媒体剤の洗浄効果をも持って網付き排水口１６で再度濾過されて破砕水のみが分解水処理槽１７に自動的に移送される。
【００５１】
分解媒体剤１１が充填された処理槽１０の傾斜爪付き攪拌翼１４付きの攪拌軸１５の稼働は、破砕された有機廃棄物の破砕水が処理槽から分解水処理槽に落下移送された後、つまり、ディスポーザー３の停止後の数秒後に攪拌開始をする。
【００５２】
同時に、ディスポーザー３の稼働停止と同時に、分解処理剤２８が装填された分解水処理剤容器２９は、可動鉄芯を有する電磁ソレノイド３０の稼働によって、一定量の分解処理剤２８が、分解処理剤添加管２７を経由して処理槽１０内に添加される。又、業務用の特殊有機廃棄物の場合も想定し、以後一定時間毎に処理槽に添加する場合も実施してもよい。
【００５３】
網付き排水口１６から分解水処理槽１７移送されたディスポーザー破砕水、及び処理槽内の破砕有機物の分解水は排水水質維持の為に、ディスポーザー３稼働と連動して、分解水処理槽電磁開閉弁２０の電気的開放により、分解水処理槽給水量制御弁２１で予め調整された給水量が分解水処理槽給水管２２を経由して分解水処理槽１７に給水され、一定水量が供給された段階に分解水処理槽電磁開閉弁２０は閉鎖し、給水は停止する。
【００５４】
分解水処理槽１７へのこの給水行程は、ディスポーザー稼働毎に行なわれるが、事後、一定時間毎にも同様の給水行程が行なわれる。
【００５５】
又、処理槽内湿度検知機３１によって処理槽１０内の乾燥状態が検知された場合は、調理屑等の有機廃棄物の投入が行なわれていない為の乾燥である事から、一定時間毎の分解水処理槽電磁開閉弁２０閉鎖によって分解水処理槽１７にも給水をしない事がある。
【００５６】
「請求項２」は、ディスポーザー３の本体の一部に分解処理剤２８入りの分解処理剤容器２９が脱着可能な状態で装着されており、ディスポーザー３の電気印加稼働に連動して、自動的に一定量の分解処理剤２８が、ディスポーザー３内に添加されるものであり、ディスポーザー３からの破砕物移送管８内の油脂等の汚物蓄積付着を防止し、同時に処理槽１０内にも注入される。この事により、処理槽（１０）の有機廃棄物の分解にも役立つものである。
【００５７】
「請求項３」は、ディスポーザー３に分解処理剤２８が装填された分解処理剤容器２９が脱着可能状態で装着され、ディスポーザー（３）の稼働に連動して、又以後一定時間毎に分解処理剤２８が一定量のみ処理槽１０と分解水処理槽１７内に電気制御盤の制御によって注入される。
つまり、ディスポーザー３の稼働終了により停止と同時に、或はディスポーザー内への給水停止後、分解処理剤２８が処理槽１０内部に添加されると同時に、ディスポーザー停止以後一定時分間隔毎に一定量が自動的に分解水処理槽（１７）内にも自動添加されるものである。
【００５８】
「請求項４」は、給水が一定給水圧力調整済の場合の前記ディスポーザー給水管５には、ディスポーザー３稼働と連動して開閉するディスポーザー給水電磁開閉弁６のみが装着される。
つまり、給水管元での減圧による流量制御済、或は設備的に一定水圧の給水供給が得られる場合、例えば減圧されたボイラーからの供給、或は船舶、車両、航空機等への搭載の場合の清水又は海水の一定水圧ポンプ供給の様な場合は、ディスポーザー給水電磁開閉弁（６）のみが、ディスポーザー給水管（５）に装着される。
【００５９】
「請求項５」は、処理槽１０の駆動側のみの処理槽１０の壁に異物濾過材付きのシールハウジング１２とベアリング１３が装着され、処理槽１０の非駆動側壁は攪拌軸１５が貫通する事なく、処理槽１０内の壁内側にステンレス製、硬質樹脂製、セラミック製等、耐食性のベアリング１３がつけられて攪拌軸１５が装着されている。
つまり、処理機本体９が小型の場合、攪拌軸１５の回転トルクが小さいので、駆動側のベアリング１３は処理槽１０の壁を貫通して攪拌軸保持のベアリング１３が装着されるが、非駆動側は処理槽１０の内壁面にステンレス製のベアリング１３が装着されるもので、特に小型の処理機の場合は狭隘な流し台シンク下に挿入される為に、１０ｍｍでも全体寸法の縮小を要求されるものに対応したものである。
【００６０】
「請求項６」の網付き排水口１６は、パンチングメタル網、又はワイヤー網とする。
つまり、処理槽１０底部の網付き排水口１６につき、処理機本体９の大型小型の各機種で、網付き排水口１６の開口部形状を種々検討実施したが、排水効率の維持の目的と、攪拌時の強度保持等ではパンチングメタル、或はレーザー穴開け加工、小型機種では、俗称タレパンのパンチング穴開け機で加工をも行なった結果、いずれも排水機能性は充分である。
【００６１】
「請求項７」は、分解水処理槽１７が、処理槽１０外部で別置きとする。
つまり、産業用で特殊有機廃棄物の大量処理の場合、分解水処理槽１７の機能の向上目的で、分解水処理槽１７も大型化され、処理機本体９の一部として構成されず、別途製作の上、処理機本体９から離れて設置されるものである。
【００６２】
「請求項８」は、分解水処理槽１７が、槽下部外部に接触して装着され、処理槽１０と一体型の、請求項１、２、３に記載の分解水処理槽を持ったディスポーザー付き有機廃棄物分解消滅装置である。
つまり、家庭用等で一般調理残渣等の有機廃棄物の少量処理の場合、分解水処理槽１７の大型化は必要なく、処理機本体９の一部として構成され、処理機本体９に接触して処理槽１０下部外側に設置構成されるものである。
【００６３】
「請求項９」は、一定給水圧力調整済の前記分解水処理槽給水管２２には、ディスポーザー稼働と連動して開閉する分解水処理槽給水電磁開閉弁２０のみが装着された、請求項１に記載の分解水処理槽を持ったディスポーザー付き有機廃棄物分解消滅装置である。
つまり、分解水処理槽１７に、分解水処理槽給水管２２によって清水を供給し、排水時点の水質保全を図るものであるが、清水供給管の元水圧が既に一定水圧に制御されている場合、例えば減圧弁によって水圧制御されている温水ボイラー空の配管供給、或は船舶、車両、航空機等の清水タンクからの減圧された海水或は清水供給管からの供給を経由しての分解水処理槽給水管２２は、既に水圧水量が制御されている為、ディスポーザー３稼働時に連動しての一定量給水と、破砕された有機廃棄物の分解水の浸潤排出をも考慮して、電気制御盤によってコントロールされ一定時間毎に一定量の給水を行なう目的での分解水処理槽給水管２２に分解水処理槽給水電磁開閉弁２０のみを装着したものである。
【００６４】
「請求項１０」は、分解水処理槽１７の内部に、有機物微細粒子３３流出防止の為、仕切り板（３４）が装着された、請求項１、３に記載の、分解水処理槽を持ったディスポーザー付き有機廃棄物分解消滅装置である。
つまり、分解水処理槽１７によって処理される処理機本体９からの有機物微細粒子３３の排水流出を防止する為に、分解水処理槽１７内に仕切り板３４を設けたが、小型の分解水処理槽１７では単数の仕切り板３４を、大型では複数の仕切り板３４を設置した。
【００６５】
「請求項１１」は、分解水処理槽１７の内部に、有機物微細粒子３３流出防止の為に、仕切り板３４が装着され、同時に分解水処理槽１７内設置の微細粒子戻しポンプ３５によって、微細粒子戻し管３６を経由して一定時間毎に処理槽１０に有機物微細粒子３３を移送する請求項１、２、３に記載の、分解水処理槽を持ったディスポーザー付き有機廃棄物分解消滅装置である。
つまり、分解水処理槽１７によって処理される処理機本体９からの有機物微細粒子３３の排水流出を防止する為に分解水処理槽１７内に仕切り板３４を設けたが、分解処理される物質によっては有機物微細粒子３３の量が増大する場合を考慮して分解水処理槽１７内に微細粒子戻しポンプ３５を設置し、電気制御盤のコントロールによって一定時間毎に微細粒子戻しポンプ３５を稼働させ、絶えず微細粒子戻し管３６を経由して処理機本体９の処理槽１０内に逆移送して、完全な処理を行なうものである。
【００６６】
「請求項１２」は、空気抜き１８に、臭気漏洩防止と、万一の処理槽内満水時の漏水防止の為に、逆支弁３７が付いた、請求項１に記載の分解水処理槽を持ったディスポーザー付き有機廃棄物分解消滅装置である。
つまり、処理槽１０に設置されている空気抜き１８に、処理槽８内の分解臭気漏洩防止と共に、万一の攪拌駆動関連機器の故障停止等による処理槽底部の網付き排水口１６の目詰まりによるディスポーザーからの破砕水導入による処理槽１０の空気抜き１８からの破砕水オーバーフローを防止の為、空気抜き１８に逆止弁３７を設置したものである。
【００６７】
「請求項１３」は、前記電磁ソレノイド３０に替わって、分解処理剤移送ポンプ３８がついた分解処理剤容器２８で、ディスポーザー３の稼働と連動して、電気印加による分解処理剤移送ポンプ３８の稼働によって分解処理剤添加管２７を経由して分解処理剤２８を処理槽１０内に移送添加するもので、液体の場合は液体ポンプを、粉体の場合は、縦形、又は横形の螺旋翼を持った移送ポンプとした、請求項１に記載の分解水処理槽を持ったディスポーザー付き有機廃棄物分解消滅装置である。
つまり、処理槽１０内に添加される分解処理剤２８の一定時間間隔による一定量の自動投入で、分解処理剤容器２９の一部に分解処理剤移送ポンプ３８が付着された分解処理剤容器とし、ポンプ吸引管３９を分解処理剤容器２９内に挿入、ディスポーザー３稼働に連動して、ディスポーザー稼働と同時に即、又はディスポーザーへの給水停止後、或はディスポーザー停止後一定時間毎に一定量の分解処理剤２８を、ディスポーザー内に、処理槽内に、分解水処理槽内に、夫々単独に、又は処理槽内と分解水処理槽内に、或は全体に、電気制御盤コントロールによって分解処理剤移送ポンプ３８が稼働、分解処理剤添加管２７経由で供給するものであるが、この場合の分解処理剤２８は液体の分解処理剤を使用したが、分解処理剤移送ポンプ３８のポンプ吸引管３９に替わってスパイラル吸引移送管の実施例では分解処理剤添加管２７を経由して、微細粉末の分解処理剤２８でも添加が可能であった。
【００６８】
「請求項１４」は、電磁ソレノイド３０に替わって、分解処理剤移送ポンプ３８が別置き設置で、分解処理剤容器２９にポンプ吸引管３９が挿入され、ディスポーザー３の稼働と連動して電気印加稼働によって分解処理剤添加管２７を経由して分解処理剤２８を処理槽１０に移送添加するもので、液体の場合は液体ポンプを、粉体の場合は、縦形、又は横形の螺旋翼を持った移送ポンプとした請求項１に記載の分解水処理槽を持ったディスポーザー付き有機廃棄物分解消滅装置である。
つまり、処理槽１０内に添加される分解処理剤２８の一定時間間隔による一定量の自動投入で、分解処理剤容器２９に分解処理剤移送ポンプ３８を分解処理剤容器２９とは別個に設置し、ポンプ吸引管３９を分解処理剤容器２９内に挿入、ディスポーザー３稼働に連動して、ディスポーザー稼働と同時に即、又はディスポーザー停止後、或は停止後一定時間毎に一定量の分解処理剤２８を、ディスポーザー内に、処理槽内に、分解水処理槽内に、夫々単独に、又は処理槽内と分解水処理槽内に、或は全体に、電気制御盤コントロールによって分解処理剤移送ポンプ３８が稼働、分解処理剤添加管２７経由で供給するものであるが、この場合の分解処理剤２８は液体の分解処理剤を使用したが、分解処理剤移送ポンプ３８のポンプ吸引管３９に替わって分解処理剤２８が分解処理剤容器２９の下部からの排出として横置のスパイラル吸引移送管の実施例では分解処理剤添加管２７を経由して、微細粉末の分解処理剤２８でも添加が可能であった。
【００６９】
「請求項１５」は、調理屑専用シンク２に替わって、常用の多用途シンク４２にディスポーザー３を設置し、ディスポーザー３から処理槽１０に結属された破砕物移送管８の途中に、シンク排水切り換え弁４１を設置して、常用の多用途シンク４０の、食器或は野菜、魚介類等の洗浄雑用水は直接に調理台排水管２３に排水し、調理屑等の有機廃棄物処理時点ではシンク排水切り換え弁４１の切り換えによって、ディスポーザー３で破砕された有機廃棄物は破砕物移送管８を経由して処理槽１０に導入される請求項１に記載の分解水処理槽を持ったディスポーザー付き有機廃棄物分解消滅装置である。
つまり、既存の設備を使用する場合に既存の調理台にディスポーザー３を設置する場合は、調理屑専用シンク２が無い為、従来の各種食品食器等の洗浄等に常用使用している多用途シンク４０の排水口にディスポーザー３を設置して使用するものであるが、この場合は調理器具洗浄、或は野菜、魚介類等の洗浄水がそのままディスポーザー３経由で処理槽１０に流入する為、破砕物移送管８にシンク排水切り換え弁４１を設置し、雑用排水はシンク排水切り換え弁４１の操作によって直接に調理台排水管２３に導き、調理屑を処理する場合はシンク排水切り換え弁４１を切り換えて処理槽１０に導入されるものである。
【００７０】
「請求項１６」は、ディスポーザー３設置が複数で夫々の設置場所が離れている場合、或は前記ディスポーザー３が調理屑専用シンク２又は多用途シンク４０に設置せずにディスポーザーが単独に複数設置の場合、又は破砕された有機廃棄物を一定時間毎に処理機本体９の処理槽１０内に移送投入を必要とする場合、又単体或は複数のディスポーザー３と処理槽１０が遠隔分離されている場合には、ディスポーザー３と処理槽１０との間に破砕有機物貯留槽４２を設け、破砕有機物移送ポンプ４３の稼働によって破砕有機物移送ポンプ４３からの破砕物移送管８を経由して処理槽１０内に一定時間毎に移送投入する請求項１、２、３記載の分解水処理槽を持ったディスポーザー付き有機廃棄物分解消滅装置。
つまり、集合住宅等の各戸にディスポーザーのみを設置して各戸から破砕された調理屑等の有機廃棄物が時間的に一定せず絶えず処理槽１０内に流入する場合は、ディスポーザー３の破砕水によって絶えず分解媒体材１１が洗浄される結果となって分解処理剤２８効果の脆弱化、同時に処理槽１０内の温度維持が困難となり得るか、強力な槽加温装置３２の設置によるエネルギー浪費を防止する為、ディスポーザーに注水した水と共に一端破砕有機物貯留槽４２に一端集合貯留させ、一定時間毎、又は破砕有機物貯留槽４２内の貯留量が一定量になった時点で、廃棄物移送ポンプ４３によって、処理機本体９の処理槽１０内に導入され、処理槽１０の底部の網付き排水口１６から分解水処理槽１７に流入、排水処理されるものである。
【００７１】
「請求項１７」は、分解処理剤２８が液体の酵素で、その分解処理目的によって、セルローズ分解酵素群、澱粉分解酵素群、蛋白質分解酵素群、油脂分解酵素群から満遍なく配合する総合的配合の請求項１に記載された有機廃棄物分解消滅装置に使用する分解処理剤２８である。
つまり、有機廃棄物の分解処理剤２８に、液体による酵素群を配合して使用するものであり、その酵素群は、セルローズ分解酵素群、澱粉分解酵素群、蛋白質分解酵素群、油脂分解酵素群等の酵素群による分解酵素で、一般的調理屑の様な場合と、業務用の有機廃棄物の場合では有機廃棄物の物性が異なる事から、それらの応じた各種酵素群の総合配合によって有機廃棄物を分解処理するものである。
【００７２】
「請求項１８」は、分解処理剤２８が液体の酵素で、その分解処理目的によって、セルローズ分解酵素群、澱粉分解酵素群、蛋白質分解酵素群、油脂分解酵素群の酵素群から少なくとも１つを部分配合する請求項１に記載された有機廃棄物分解消滅装置に使用する分解処理剤２８である。
つまり、有機廃棄物の分解処理剤２８に、液体による酵素群を配合して使用するものであり、その酵素群は、セルローズ分解酵素群、澱粉分解酵素群、蛋白質分解酵素群、油脂分解酵素群等の酵素群による分解酵素で、一般的調理屑の様な場合と、業務用の有機廃棄物の場合では有機廃棄物の物性が異なる事から、それらの応じた各種酵素群の部分配合によって有機廃棄物を分解処理するものである。
【００７３】
「請求項１９」は、分解処理剤２８が液体の酵素で、その分解処理目的によって、セルローズ分解酵素群、澱粉分解酵素群、蛋白質分解酵素群、油脂分解酵素群の酵素群から１つを配合する請求項１に記載された有機廃棄物分解消滅装置に使用する分解処理剤２８である。
つまり、有機廃棄物の分解処理剤２８に、液体による酵素群を配合して使用するものであり、その酵素群は、セルローズ分解酵素群、澱粉分解酵素群、蛋白質分解酵素群、油脂分解酵素群等の酵素群による分解酵素で、一般的調理屑の様な場合以外に、業務用の有機廃棄物の場合では有機廃棄物の物性によって、それらの応じた酵素群から１つを配合することによって有機廃棄物を分解処理するものである。
【００７４】
「請求項２０」は、分解処理剤２８が粉末形状、顆粒形状、固形形状等の酵素で、その分解処理目的によって、セルローズ分解酵素群、澱粉分解酵素群、蛋白質分解酵素群、油脂分解酵素群から満遍なく配合する総合配合とする請求項１に記載された有機廃棄物分解消滅装置に使用する分解処理剤２８である。
つまり、有機廃棄物の分解処理剤２８に、粉末形状、顆粒形状、固形形状等の液体以外による酵素群を配合して使用するものであり、その酵素群は、セルローズ分解酵素群、澱粉分解酵素群、蛋白質分解酵素群、油脂分解酵素群等の酵素群による分解酵素で、一般的調理屑の様な場合と、業務用の有機廃棄物の場合では有機廃棄物の物性が異なる事から、それらに応じた各種酵素群から満遍なく配合する総合配合によって有機廃棄物を分解処理するものである。
【００７５】
「請求項２１」は、有機廃棄物の分解処理剤２８に、粉末形状、顆粒形状、固形形状等の液体以外による酵素群を配合して使用するものであり、その酵素群は、セルローズ分解酵素群、澱粉分解酵素群、蛋白質分解酵素群、油脂分解酵素群等の酵素群による分解酵素で、一般的調理屑の様な場合と、業務用の有機廃棄物の場合では有機廃棄物の物性が異なる事から、それらの応じた各種酵素群の部分的配合によって有機廃棄物を分解処理するものである。
【００７６】
「請求項２２」は、有機廃棄物の分解処理剤２８に、粉末形状、顆粒形状、固形形状等による液体以外の酵素群を配合して使用するものであり、その酵素群は、セルローズ分解酵素群、澱粉分解酵素群、蛋白質分解酵素群、油脂分解酵素群等の酵素群による分解酵素で、一般的調理屑の様な場合以外に、業務用の有機廃棄物の場合では有機廃棄物の物性によって、それらの応じた各種酵素群の単独的配合によって有機廃棄物を分解処理するものである。
【００７７】
「請求項２３」は、有機廃棄物の分解処理剤２８に、液体による好気性有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００７８】
「請求項２４」は、有機廃棄物の分解処理剤２８に、液体による嫌気性有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００７９】
「請求項２５」は、有機廃棄物の分解処理剤２８に、液体による光合成有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８０】
「請求項２６」は、有機廃棄物の分解処理剤２８に、液体による好気性微生物群と光合成有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８１】
「請求項２７」は、有機廃棄物の分解処理剤２８に、液体による嫌気性微生物群と光合成有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８２】
「請求項２８」は、有機廃棄物の分解処理剤２８に、粉末による好気性有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８３】
「請求項２９」は、有機廃棄物の分解処理剤２８に、粉末による嫌気性有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８４】
「請求項３０」は、有機廃棄物の分解処理剤２８に、粉末による光合成有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８５】
「請求項３１」は、有機廃棄物の分解処理剤２８に、粉末による好気性微生物群と光合成有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８６】
「請求項３２」は、有機廃棄物の分解処理剤２８に、粉末による嫌気性微生物群と光合成有機物分解微生物群を配合して使用するものであり、その微生物群は、セルローズ分解、澱粉分解、蛋白質分解、油脂分解等の機能ある機物分解微生物群で、一般的調理屑の様な場合と、業務用の有機廃棄物の場合では有機廃棄物の物性が異なる事から、それらの応じた各種微生物群の総合配合、又一部の複数微生物群配合、或は単独種微生物群の配合によって有機廃棄物を分解処理するものである。
【００８７】
「請求項３３」は、分解媒体剤１１が、ペレット状の形状の樹脂製であって、その基材樹脂がポリエステル樹脂系、ＡＳ樹脂系、ＡＢＳ樹脂系、ＦＲ−ＰＥＴ樹脂系、エチレン酢ビコポリマー樹脂系、エポキシ樹脂系、塩化ビニリデン樹脂系、塩化ビニル樹脂系、プロピレン樹脂系、ポリエチレン樹脂系、ポリプロピレン樹脂系、キシレン樹脂系、グアナミン樹脂系、クロマン樹脂系、グラフトカーボン樹脂系、酢酸セルローズ樹脂系、フェノール樹脂系、フッソ樹脂系、ポリエステル樹脂系、フラン樹脂系、ポリアセタール樹脂系、ポリアミド樹脂系、ポリウレタン樹脂系、ポリスチレン樹脂系、ポリスルフォン樹脂系、ポリーボネート樹脂系、ポリビニールアルコール樹脂系、ポリフェニレオンオキサイド樹脂系、メタクリル樹脂系、メラミン樹脂系、ナイロン樹脂系、ユリア樹脂系の各樹脂系で実施したが、いずれも好結果が得られた。
【００８８】
「請求項３４」は、分解媒体材が、樹脂発泡により多孔性ペレット形状に加工したもので、これに使用した樹脂種類は、「請求項３３」記載の樹脂であり、多孔性による水分保持、気泡、表面積増大による分解促進に役立った。
【００８９】「請求項３５」は、分解媒体材が、樹脂のペレット形状で、ノズルに芯材を付加して中空ペレット加工成型したもので、これに使用した樹脂種類は、「請求項３３」記載の樹脂であり、表面積増大による分解促進に役立った。
【００９０】
「請求項３６」は、分解媒体材が、樹脂発泡により多孔性ペレット形状で、ノズルに芯材をふかして中空ペレット加工成型したもので、これに使用した樹脂種類は、「請求項３３」記載の樹脂であり、多孔性による水分保持、気泡、表面積増大による分解促進に役立った。
【００９１】
「請求項３７」は、分解媒体材１１が球形状に加工成型した樹脂製で、これに使用した樹脂種類は、「請求項３３」記載の樹脂であり、表面積増大による分解促進に役立った。
【００９２】
「請求項３８」は、分解媒体材１１が球形状で、樹脂発泡により多孔性球形状に加工成型したもので、これに使用した樹脂種類は、「請求項３３」記載の樹脂であり、多孔性による水分保持、気泡、表面積増大による分解促進に役立った。
【００９３】
「請求項３９」は、分解媒体材１１が円筒形状に加工成型した樹脂製で、これに使用した樹脂種類は、「請求項３３」記載の樹脂であり、表面積増大による分解促進に役立った。
【００９４】
「請求項４０」は、分解媒体材１１が多孔性の円筒形状に加工成型したもので、これに使用した樹脂種類は、「請求項３３」記載の樹脂であり、多孔性による水分保持、気泡、表面積増大による分解促進に役立った。
【００９５】
「請求項４１」は、分解媒体材１１が中空円筒形状に加工成型した樹脂製で、それに使用した樹脂種類は、「請求項３３」記載の樹脂であり、表面積増大による分解促進に役立った。
【００９６】
「請求項４２」は、分解媒体材１１が中空円筒形状で、樹脂発泡により多孔性形状に加工成型したもので、これに使用した樹脂種類は、「請求項３３」記載の樹脂であり、多孔性による水分保持、気泡、表面積増大による分解促進に役立った。
【００９７】
「請求項４３」は、分解媒体材１１が多角形状に加工成型した樹脂製で、これに使用した樹脂種類は、「請求項３３」記載の樹脂であり、表面積増大による分解促進に役立った。
【００９８】
「請求項４４」は、分解媒体材１１が多角形状で、樹脂発泡により多孔性形状に加工成型したもので、これに使用した樹脂種類は、「請求項３３」記載の樹脂であり、多孔性による水分保持、気泡、表面積増大による分解促進に役立った。
【００９９】
「請求項４５」は、分解媒体材１１が中空多角形状に加工成型した樹脂製で、これに使用した樹脂種類は、「請求項３３」記載の樹脂であり、表面積増大による分解促進に役立った。
【０１００】
「請求項４６」は、分解媒体材１１が中空多角形状で、樹脂発泡により多孔性形状に加工成型したもので、これに使用した樹脂種類は、「請求項３３」記載の樹脂であり、多孔性による水分保持、気泡、表面積増大による分解促進に役立った。
【０１０１】
「請求項４７」は、分解媒体材１１が破砕塊状の樹脂性で、樹脂製品リサイクル回収後の各種商品樹脂を、破砕した塊状にしたものである。
【０１０２】
「請求項４８」は、分解媒体材１１が多孔性の破砕塊状の樹脂性で、リサイクル回収後の各種商品多孔性樹脂製品や、硬質発泡された樹脂を破砕して使用した。
【０１０３】
「請求項４９」は、分解媒体材１１が、樹木をペレット形状に加工した樹木製で、これに使用した樹木種類は、国産樹木間伐材、建築廃材、輸入木材製材屑等による水分保持、樹木気泡、表面積増大による分解促進に役立った。
【０１０４】
「請求項５０」は、分解媒体材１１が、樹木を中空ペレット形状に加工した樹木製で、それに使用した樹木種類は、国産樹木間伐材、建築廃材、輸入木材製材屑等による水分保持、樹木気泡、表面積増大による分解促進に役立った。
【０１０５】
「請求項５１」は、分解媒体材１１が、球形状に加工成型した樹木製で、それに使用した樹木種類は、国産樹木間伐材、建築廃材、輸入木材製材屑等による水分保持、樹木気泡、表面積増大による分解促進に役立った。
【０１０６】
「請求項５２」は、分解媒体材１１が、円筒形状に加工成型した樹木製で、これに使用した樹木種類は、国産樹木間伐材、建築廃材、輸入木材製材屑等による水分保持、樹木気泡、表面積増大による分解促進に役立った。
【０１０７】
「請求項５３」は、分解媒体材１１が、中空円筒形状に加工成型した樹木製で、これに使用した樹木種類は、国産樹木間伐材、建築廃材、輸入木材製材屑等による水分保持、樹木気泡、表面積増大による分解促進に役立った。
【０１０８】
「請求項５４」は、分解媒体材１１が、多角形状に加工成型した樹木製で、これに使用した樹木種類は、国産樹木間伐材、建築廃材、輸入木材製材屑等による水分保持、樹木気泡、表面積増大による分解促進に役立った。
【０１０９】
「請求項５５」は、分解媒体材１１が、中空多角形状に加工成型した樹木製で、これに使用した樹木種類は、国産樹木間伐材、建築廃材、輸入木材製材屑等による水分保持、樹木気泡、表面積増大による分解促進に役立った。
【０１１０】
「請求項５６」は、分解媒体材１１が、破砕塊状の樹木製で、これに使用した樹木種類は、国産樹木間伐材、建築廃材、輸入木材製材屑等による水分保持、樹木気泡、表面積増大による分解促進に役立った。
【０１１１】
「請求項５７」は、分解媒体材１１が、鱗片形状の様なチップ形状等の樹木片で、これに使用した樹木種類は、国産樹木間伐材、建築廃材、輸入木材製材屑等による水分保持、樹木気泡、表面積増大による分解促進に役立った。
【０１１２】
「請求項５８」は、分解媒体材１１が、粗挽きの樹木粉製で、これに使用した樹木種類は、国産樹木間伐材、建築廃材、輸入木材製材屑等による水分保持、樹木気泡、表面積増大による分解促進に役立った。
【０１１３】
「請求項５９」は、分解媒体材１１が、原形の植物種子で、これに使用した植物種子は数多く、例えばコーヒー、サクランボ、梅、林檎等々による分解媒体材として役立った。
【０１１４】
「請求項６０」は、分解媒体材１１が、硬質の植物種子殻で、これに使用した植物種子は数多く、例えばコーヒー殻、梅種子、胡桃種子殻等々によるもので、破砕された有機廃棄物のより以上のすり潰しによって分解促進に役立った。
【０１１５】
「請求項６１」は、分解媒体材１１が、硬質の植物種子殻を一定粒度に破砕し、これに使用した植物種子は数多く、例えばコーヒー挽き殻、梅種子、胡桃種子殻等々によるもので、破砕された有機廃棄物のより以上のすり潰しによって分解促進に役立った。
【０１１６】
「請求項６２」は、分解媒体材（１１）が、ゼオライトを基材にした無機系の解媒体材（１１）で、ゼオライトの持つイオン交換機能と多孔製によって、破砕された有機廃棄物のより以上のすり潰しを含めて分解促進に役立った。
【０１１７】
「請求項６３」は、分解媒体材１１が、ゼオライトを基材を高温焼結した無機系の解媒体材（１１）で、ゼオライトの持つイオン交換機能と焼結による、より以上の多孔製と硬度によって、破砕された有機廃棄物のより以上のすり潰しを含めて分解促進に役立った。
【０１１８】
「請求項６４」は、分解媒体材１１が、ゼオライトを基材にカーボンを蒸着した無機系の解媒体材（１１）で、ゼオライトの持つイオン交換機能と焼結による、より以上の多孔製と硬度によって、破砕された有機廃棄物のより以上のすり潰しを含めて分解促進に役立った。
【０１１９】
「請求項６５」は、分解媒体材１１が、ゼオライトを基材に高温焼結した上でカーボンを蒸着した無機系の分解媒体材１１で、ゼオライトの持つイオン交換機能と焼結による、より以上の多孔製と硬度によって、破砕された有機廃棄物のより以上のすり潰しを含めて分解促進に役立った。
【０１２０】
「請求項６６」は、分解媒体材１１が、カオリンを基材にした、より以上の多孔製と硬度によって、破砕された有機廃棄物のより以上のすり潰しを含めて分解促進に役立った。
【０１２１】
「請求項６７」は、分解媒体材１１が、シリカゲルを基材にした、より以上の多孔製吸水と発散によって、分解促進に役立った。
【０１２２】
「請求項６８」は、分解媒体材１１が、石灰石を基材にした、より以上の多孔製と硬度によって、分解促進に役立った。
【０１２３】
「請求項６９」は、分解媒体材１１が、原形貝殻、又は破砕された貝殻を基材にした、牡蛎、ほたて貝等の貝殻の無機廃棄物のリサイクル利用で、格安で永久使用に役立った。
【０１２４】
「請求項７０」は、分解媒体材１１が、活性炭素を基材にした分解媒体材で、浄水器を含めた廃棄活性炭によって格安で永久使用に役立った。
【０１２５】
【発明の効果】
同時に、攪拌軸の駆動トルクは前項の理由により非常に低いトルクで良く、攪拌駆動モーターは従来の発酵処理生ごみ処理機の三分の一以下のトルクで充分でありコストの削減に大きく寄与し、シンク下収納という設置場所から、処理機本体デザイン面でも、コスト削減が可能であり容易に購入が可能となる。
【０１２６】
主婦の一番大きな労働は食事準備であり、その労働徒歩範囲を流し台周囲に止めることが理想であり、その為にも、キッチン収納方式が一番である。
【０１２７】
同時に、調理する流し台で、生ごみ発生時点でコーナー籠等に入れて水切りをすることなく、又、動物骨を含めて全てが処理できる利点があり、発生都度ディスポーザーに投入することができ、シンク内の清潔維持に貢献した。
【０１２８】
一番大きな利点は、従来の生ごみ処理機の様に、絶えず気にしながら使い、臭気、残渣取り出し、分解媒体剤交換等々の煩わしさが解消した事である。
【図面の簡単な説明】
【図１】
調理台の調理屑専用シンクにディスポーザーを設置し、分解水処理槽が処理機本体の処理槽下に設置された正面図、一部透視図である。
【図２】
調理台の調理屑専用シンクにディスポーザーを設置し、分解水処理槽が処理機本体から離れて設置された正面図、一部透視図である。
【図３】
調理台の調理屑専用シンクにディスポーザーを設置し、分解処理剤移送ポンプが分解処理剤容器に設置された正面図、一部透視図である。
【図４】
調理台の多用途シンクにディスポーザーを設置し、シンク排水切り換え弁を設け、分解処理剤移送ポンプが分解処理剤容器から離れて設置された正面図、一部透視図である。
【図５】
異物濾過材付きシールハウジングと、ベアリングが、左右の処理槽の壁を貫通して設置された攪拌軸に装着された処理槽の側面図、一部透視図である。
【図６】
異物濾過材付きシールハウジングと、ベアリングが、処理槽の駆動側壁を貫通して設置された攪拌軸に装着され、非駆動側の攪拌軸は処理槽内壁に装着されたベアリングによって保持された処理槽の側面図、一部透視図である。
【図７】
粉末の分解処理剤が入った分解処理剤容器が、横置形の螺旋翼の分解処理剤移送ポンプによって処理槽内に添加される、分解処理剤移送ポンプの断面図、一部透視図である。
【図８】
粉末の分解処理剤が入った分解処理剤容器が、縦置形の螺旋翼の分解処理剤移送ポンプによって処理槽内に添加される、分解処理剤移送ポンプの断面図、一部透視図である。
【図９】
分解媒体剤が、「請求項３３」のペレット状樹脂製、「請求項４９」のペレット状樹木製の斜視図である。
【図１０】
分解媒体剤が、「請求項３３」のペレット状樹脂製、「請求項４９」のペレット状樹木製の断面図である。
【図１１】
分解媒体剤が、「請求項３４」の発泡された多孔性ペレット状樹脂製の斜視図である。
【図１２】
分解媒体剤が、「請求項３４」の発泡された多孔性ペレット状樹脂製の断面図である。
【図１３】
分解媒体剤が、「請求項３５」の中空ペレット状樹脂製、「請求項５０」の中空ペレット状樹木製の斜視図である。
【図１４】
分解媒体剤が、「請求項３５」の中空ペレット状樹脂製、「請求項５０」の中空ペレット状樹木製の断面図である。
【図１５】
分解媒体剤が、「請求項３６」の中空多孔性ペレット状樹脂製の斜視図である。
【図１６】
分解媒体剤が、「請求項３６」の中空多孔性ペレット状樹脂製の断面図である。
【図１７】
分解媒体剤が、「請求項３７」の球状樹脂製、「請求項５１」の球状樹木製の側面図である。
【図１８】
分解媒体剤が、「請求項３８」の多孔性球状樹脂製の側面図である。
【図１９】
分解媒体剤が、「請求項３９」の円筒樹脂製、「請求項５２」の円筒状樹木製の斜視図である。
【図２０】
分解媒体剤が、「請求項３９」の円筒樹脂製、「請求項５２」の円筒状樹木製の断面図である。
【図２１】
分解媒体剤が、「請求項４０」の多孔性球状樹脂製の斜視図である。
【図２２】
分解媒体剤が、「請求項４０」の多孔性球状樹脂製の断面図である。
【図２３】
分解媒体剤が、「請求項４１」の中空円筒樹脂製、「請求項５３」の中空円筒樹木製の斜視図である。
【図２４】
分解媒体剤が、「請求項４１」の中空円筒樹脂製、「請求項５３」の中空円筒樹木製の断面図である。
【図２５】
分解媒体剤が、「請求項４２」の多孔性中空円筒樹脂製の斜視図である。
【図２６】
分解媒体剤が、「請求項４２」の多孔性中空円筒樹脂製の断面図である。
【図２７】
分解媒体剤が、「請求項４３」の多角形状樹脂製、「請求項５４」の多角形状樹木製の斜視図である。
【図２８】
分解媒体剤が、「請求項４３」の多角形状樹脂製、「請求項５４」の多角形状樹木製の断面図である。
【図２９】
分解媒体剤が、「請求項４４」の多孔性多角形状樹脂製の斜視図である。
【図３０】
分解媒体剤が、「請求項４４」の多孔性多角形状樹脂製の断面図である。
【図３１】
分解媒体剤が、「請求項４５」の多角形状中空樹脂製、「請求項５５」多角形状中空樹木製の斜視図である。
【図３２】
分解媒体剤が、「請求項４５」の多角形状中空樹脂製、「請求項５５」多角形状中空樹木製の断面図である。
【図３３】
分解媒体剤が、「請求項４６」の多孔性多角形状中空樹脂製の斜視図である。
【図３４】
分解媒体剤が、「請求項４６」の多孔性多角形状中空樹脂製の断面図である。
【図３５】
分解媒体剤が、「請求項４７、５６、６１、６２、６３、６４、６５、６６、６７、６８、６９、７０」の塊状又は破砕塊状の、樹脂製、種子製、樹木製、貝殻製、活性炭素製、無機物製の斜視図である。
【図３６】
分解媒体剤が、「請求項５９、６０、６１」の原形種子、破砕種子の斜視図である。
【符号の説明】
１ 調理台
２ 調理屑専用シンク
３ ディスポーザー
４ ディスポーザー給水栓
５ ディスポーザー給水管
６ ディスポーザー給水電磁開閉弁
７ ディスポーザー給水量制御弁
８ 破砕物移送管
９ 処理機本体
１０ 処理槽
１１ 分解媒体剤
１２ 異物濾過材付きシールハウジング
１３ ベアリング
１４ 傾斜爪付き攪拌翼
１５ 攪拌軸
１６ 網付き排水口
１７ 分解水処理槽
１８ 空気抜き
１９ 分解水処理槽排水管
２０ 分解水処理槽給水電磁開閉弁
２１ 分解水処理槽給水量制御弁
２２ 分解水処理槽給水管
２３ 調理台排水管
２４ 攪拌軸付き歯車
２５ 攪拌駆動機
２６ 駆動機付き歯車
２７ 分解処理剤添加管
２８ 分解処理剤
２９ 分解処理剤容器
３０ 電磁ソレノイド
３１ 処理槽内湿度感知機
３２ 温度制御機付き槽加温装置
３３ 有機物微細粒子
３４ 仕切り板
３５ 微細粒子戻しポンプ
３６ 微細粒子戻し管
３７ 逆止弁
３８ 分解処理剤移送ポンプ
３９ ポンプ吸引管
４０ 多用途シンク
４１ シンク排水切り換え弁
４２ 破砕有機物貯留槽
４３ 破砕物移送ポンプ